(57)【要約】【課題】ダビング中に外部機器が操作された場合にも記録ファイルが分割されないようにする。【解決手段】ランダムアクセス可能な記録媒体に記録する際に、外部機器から送信される画像ストリームから所定のフォーマットデータを抽出し、１つのファイルとして前記ランダムアクセス可能な記録媒体記録媒体に記録するようにすることにより、シーンカットなどの簡易編集された画像ストリームであっても１つの動画ファイルとして前記ランダムアクセス可能な記録媒体に記録できるようにして、ダビング中に外部機器が操作された回数に応じて記録ファイルの数が増加してしまう不都合が発生しないようにする。【選択図】図１
2007110245.tif 000002
【特許請求の範囲】
【請求項１】
ランダムアクセス可能な記録媒体に画像ストリームをファイルとして記録するファイル書き込み手段と、
前記画像ストリームを外部機器から取得する外部ストリーム取得手段と、
前記外部ストリーム取得手段によって取得された画像ストリームが所定のフォーマットであるか否かを判別するストリーム判別手段と、
前記ストリーム判別手段の判別結果が所定のフォーマットではない場合に、前記ファイル書き込み手段の動作を一時停止状態にする書き込み制御手段とを有することを特徴とする画像記録装置。
【請求項２】
前記書き込み制御手段は、前記ストリーム判別手段の判別結果が所定のフォーマットであると判断された場合に、前記一時停止状態にあるファイル書き込み手段の書き込み動作を再開させ、前記一時停止状態となる前に記録した画像データと前記書き込み動作の再開後に記録した画像データとを一つのファイルとして記録することを特徴とする請求項１に記載の画像記録装置。
【請求項３】
前記ファイル書き込み手段は、前記書き込み動作を追記書き込みで再開することを特徴とする請求項２に記載の画像記録装置。
【請求項４】
前記ファイル書き込み手段が追記書き込みを行う際に、異なる２つの画像ストリームをつなげる補間データを生成する補間データ生成手段を有することを特徴とする請求項３に記載の画像記録装置。
【請求項５】
ランダムアクセス可能な記録媒体に画像ストリームをファイルとして記録するファイル書き込み工程と、
前記画像ストリームを外部機器から取得する外部ストリーム取得工程と、
前記外部ストリーム取得工程によって取得された画像ストリームが所定のフォーマットであるか否かを判別するストリーム判別工程と、
前記ストリーム判別工程の判別結果が所定のフォーマットではない場合に、前記ファイル書き込み工程の動作を一時停止状態にする書き込み制御工程とを有することを特徴とする画像記録方法。
【請求項６】
前記書き込み制御工程は、前記ストリーム判別工程の判別結果が所定のフォーマットであると判断された場合に、前記一時停止状態にあるファイル書き込み工程の書き込み動作を再開させることを特徴とする請求項５に記載の画像記録方法。
【請求項７】
前記ファイル書き込み工程は、前記書き込み動作を追記書き込みで再開することを特徴とする請求項６に記載の画像記録方法。
【請求項８】
前記ファイル書き込み工程が追記書き込みを行う際に、異なる２つの画像ストリームをつなげる補間データを生成する補間データ生成工程を有することを特徴とする請求項７に記載の画像記録方法。
【請求項９】
ランダムアクセス可能な記録媒体に画像ストリームをファイルとして記録するファイル書き込み工程と、
前記画像ストリームを外部機器から取得する外部ストリーム取得工程と、
前記外部ストリーム取得工程によって取得された画像ストリームが所定のフォーマットであるか否かを判別するストリーム判別工程と、
前記ストリーム判別工程の判別結果が所定のフォーマットではない場合に、前記ファイル書き込み工程の動作を一時停止状態にする書き込み制御工程とを有する画像記録方法をコンピュータに実行させることを特徴とするコンピュータプログラム。
【請求項１０】
前記請求項９に記載のコンピュータプログラムを記録したことを特徴とするコンピュータ読み取り可能な記録媒体。
【発明の詳細な説明】
【技術分野】
【０００１】
本発明は画像記録装置及び画像記録方法に関し、特に、外部機器とデジタルインタフェースで接続し、動画像をダビング及び簡易編集するために用いて好適な技術に関する。
【背景技術】
【０００２】
従来の記録装置には、IEEE1394、USBなどのデジタルインタフェースを用いて外部機器と通信を行って動画像をダビングする機器がある。例えば、外部機器から送信された動画像Stream（ストリーム）を受信し、記録媒体に記録するデジタルビデオカメラなどが挙げられる。
【０００３】
この種のビデオカメラのうち、近年、高精細画像信号（ＨＤ信号）をＭＰＥＧ方式で符号化して磁気テープに記録再生するものが登場している。ＶＴＲにおいては、サーチ再生機能を持つことが一般的であるが、サーチ再生時には磁気テープ上のトラックをヘッドが斜めに走査するため、全てのデータを再生することができない。
【０００４】
ＭＰＥＧ符号化は、フレーム間予測符号化を用いた可変長符号化方式であるため、サーチ時に参照フレームのデータを再生することができない場合には再生画像を出力することができなくなってしまう。
【０００５】
そこで、このようなＭＰＥＧ方式の画像信号を記録するビデオカメラにおいては、サーチ時にヘッドが走査する走査軌跡に合わせて、フレーム内符号化した画像信号を配置しておき、サーチ再生時にはこのフレーム内符号化した画像信号を再生するようにしている。
【０００６】
この種のビデオカメラには通常再生時とサーチ、スロー、コマ送りなどの特殊再生時とで外部出力するストリームのフォーマットが切り替わるものがある。
また、外部機器からの動画像ストリームを受信し、ストリームの切り替わりによって、記録するファイルを分割する構成の記録装置が発案されている（例えば、特許文献１参照）。
【０００７】
【特許文献１】特開２００４−３１０８３１号公報
【発明の開示】
【発明が解決しようとする課題】
【０００８】
しかしながら、前記従来技術の構成では、ダビング中に外部機器が操作された場合に、受信ストリームが切り替わると記録ファイルが自動的に分割され、簡易編集ダビングが困難になってしまう問題点があった。
【０００９】
また、複数のフォーマットで記録されているテープメディアから動画像をディスクメディアへダビングした場合に、記録ファイルの数が増加してしまい管理が難しくなってしまう問題点があった。
本発明は前述の問題点にかんがみ、ダビング中に外部機器が操作された場合にも記録ファイルが分割されないようにすることを目的としている。
【課題を解決するための手段】
【００１０】
本発明の画像記録装置は、ランダムアクセス可能な記録媒体に画像ストリームをファイルとして記録するファイル書き込み手段と、前記画像ストリームを外部機器から取得する外部ストリーム取得手段と、前記外部ストリーム取得手段によって取得された画像ストリームが所定のフォーマットであるか否かを判別するストリーム判別手段と、前記ストリーム判別手段の判別結果が所定のフォーマットではない場合に、前記ファイル書き込み手段の動作を一時停止状態にする書き込み制御手段とを有することを特徴とする。
【００１１】
本発明の画像記録方法は、ランダムアクセス可能な記録媒体に画像ストリームをファイルとして記録するファイル書き込み工程と、前記画像ストリームを外部機器から取得する外部ストリーム取得工程と、前記外部ストリーム取得工程によって取得された画像ストリームが所定のフォーマットであるか否かを判別するストリーム判別工程と、前記ストリーム判別工程の判別結果が所定のフォーマットではない場合に、前記ファイル書き込み工程の動作を一時停止状態にする書き込み制御工程とを有することを特徴とする。
【００１２】
本発明のコンピュータプログラムは、ランダムアクセス可能な記録媒体に画像ストリームをファイルとして記録するファイル書き込み工程と、前記画像ストリームを外部機器から取得する外部ストリーム取得工程と、前記外部ストリーム取得工程によって取得された画像ストリームが所定のフォーマットであるか否かを判別するストリーム判別工程と、前記ストリーム判別工程の判別結果が所定のフォーマットではない場合に、前記ファイル書き込み工程の動作を一時停止状態にする書き込み制御工程とを有する画像記録方法をコンピュータに実行させることを特徴とする。
【００１３】
本発明の記録媒体は、前記に記載のコンピュータプログラムを記録したことを特徴とする。
【発明の効果】
【００１４】
本発明の記録装置によれば、デジタルインタフェースを用いて接続された外部機器から送信される動画ストリームに不連続部分が発生した場合にも記録ファイルが分割されないようにしたので、ダビング中に外部機器が操作されて画像ストリームが分割された場合に、不連続部分の前後で所定のフォーマットデータを抽出し、１つのファイルとして記録媒体に記録することができる。
また、外部機器側で任意の場面を選択して再生することにより、シーンカットなどの簡易編集された１つの動画ファイルを得ることが可能になる。
【発明を実施するための最良の形態】
【００１５】
（第１の実施の形態）
以下に、本発明の実施形態を、図面を用いて説明する。
図１は、本発明に係る画像記録装置１００の概略構成を示すブロック図である。図１において、１０１はMPEGの圧縮伸張を行うMPEG Codec（MPEGデータ復号器）、１０２はサーチ画像データであるサーチストリームの圧縮伸張を行うSearch Codec（サーチデータ復号器）である。
【００１６】
１０３はMPEG Codec１０１とSearch Codec１０２によって生成された画像を一時的に保持する画像メモリである。１０４はユーザとのインタフェースである操作キー、１０５は外部機器とのデジタル通信のインタフェースであるDIF、１０６はDIF１０５から入力される外部機器からのストリームデータの種別を検知するストリーム検知部である。
【００１７】
１０７は画像記録装置１００全体をコントロールするＣＰＵ、１０８はMPEG Codec １０１と、Search Codec １０２によって生成された画像を表示する表示部である。１０９はMPEG Codec １０１によって生成されたMPEGデータと Search Codec １０２によって生成されたサーチデータ、及び記録媒体から読み出したデータを一時的に保持するデータメモリである。
【００１８】
１１０は記録媒体であるDisc への書き込み読み込みのインタフェースとなるDisc IFである。１１１はDVD、CDなどのファイルでデータを管理するランダムアクセス可能な記録媒体であり、記録媒体１１１は画像記録装置１００から脱着可能である。前記１０１から１１０で画像記録装置１００を構成している。
【００１９】
図２は、本実施形態に係る画像記録装置１００において、外部機器２００から入力されるMPEGストリームをファイルとして記録媒体１１１へ記録する場合のイメージを示す図である。
【００２０】
図２の(１)は、画像記録装置１００であるDisc Recorder と、外部機器２００であるDVC（Digital Video Cassette）Recorder との接続状態を示すイメージ図である。図示したように、画像記録装置１００と外部機器２００はIEEE１３９４ / USB などのデジタルインタフェースで接続されている。
【００２１】
外部機器２００は、前述のように画像信号をＭＰＥＧ符号化して磁気テープに対して記録再生する装置であり、通常再生用のＭＰＥＧデータのほか、サーチ再生用の画像データも記録再生する。
【００２２】
通常再生時には、テープ上から通常再生用のＭＰＥＧデータを再生することで、外部機器２００からストリーム送信が開始され、画像記録装置１００ はDIF１０５を介してストリームを受信する。画像記録装置１００はストリーム 受信時に記録操作を行うと、ストリームをファイルとして記録媒体１１１に記録する。また、サーチ再生時には、サーチ再生用のデータを磁気テープから再生し、通常再生用のストリームとは異なる形式のストリームとして画像記録装置１００に送信する。
【００２３】
図２の(２)は、画像記録装置１００が受信しているストリーム が MPEG TS（通常再生ストリーム）→Search（サーチ再生ストリーム）→MPEG TS（通常再生ストリーム）へと順番に切り替わった場合に、記録媒体１１１に１つのファイルとして記録する場合のイメージを示した図である。
【００２４】
図２の(１)のストリーム通信中に、ユーザが外部機器２００のサーチ操作を行うと、DIF１０５へ送信されるストリーム はMPEG TS から Search ストリーム へと切り替わる。画像記録装置１００において、記録媒体１１１へストリームを記録中にMPEG TS→Search ストリームへの切り替わりをストリーム検知部１０６が検知すると、ディスクへの書き込みを一時停止する。
【００２５】
記録一時停止状態中にストリーム検知部１０６が、Search ストリーム→MPEG TS の切り替わりを検知すると、ディスク１１１へのファイルへの書き込みを再開し、直前に記録していたファイルへ追記記録を行う。
【００２６】
また、記録一時停止状態の直前に記録していたMPEG(a) データと、記録一時停止後に追記するMPEG(b)とではMPEGとしての連続性がないため、バッファモデル（VBV）の整合性がない。そこで、MPEGデータの連続性を保つためMPEG(a)とMPEG(b)とのつなぎ目にコピーピクチャ、スタッフィングなどの補間データを差し込むことで、MPEGとしての整合性を補間するようにしている。
【００２７】
前述の結果として、画像記録装置１００においては、以下のように動作する。すなわち、外部からのMPEG TS ストリームをディスク１１１に記録中に、受信ストリームに断片的に Search ストリームが差し込まれた場合に、受信ストリーム中のMPEG TS ストリームのみを抽出した１つのMPEGファイルをディスク１１１へ記録することが可能になる。
【００２８】
図３は、本実施形態に係る画像記録装置１００において、外部機器２００から入力されるMPEGストリームをファイルとしてディスク１１１へ記録する場合の処理手順の一例を説明するフローチャートである。
【００２９】
ＣＰＵ１０７は、DIF１０５が外部機器２００に論理的に接続され、ストリーム受信状態かを判断する（ステップＳ３０１）。この判断の結果、Yesならば受信ストリームがMPEG TS ストリームかを判断する（ステップＳ３０２）。
【００３０】
ステップＳ３０２の判断の結果、Yesならば現在File Open 状態かを判断する（ステップＳ３０３）。また、Noならば画像記録装置１００を記録一時停止状態（Rec Pause）に設定し、ステップＳ３０１へ戻る（ステップＳ３０８）。
【００３１】
ステップＳ３０３の判断の結果、Yesならば、連続性のないMPEGのつなぎ記録かを判断する（ステップＳ３０４）。また、ステップＳ３０３の判断の結果、NoならばステップＳ３０５に進んで記録ファイルを開き（fopen）、その後ステップＳ３０７へ移る。ステップＳ３０４の判断の結果、NoならばステップＳ３０７へ移る。
【００３２】
また、ステップＳ３０４の判断の結果、Yesならば、MPEGのバッファモデルの整合性を保つためにコピーピクチャ、スタッフィングを記録データに差し込み連続性を保つための補間処理を行う（ステップＳ３０６）。その後、ファイルへ受信したMPEG TS ストリームを含むMPEGデータを書き込み（ステップＳ３０７）、その後でステップＳ３０１へ戻る。
【００３３】
また、ステップＳ３０１においてNoと判断された場合には、ファイルが開かれた状態かを判断する（ステップＳ３０９）。ステップＳ３０９の判断の結果、Noならば終了する。また、ステップＳ３０９の判断の結果、Yesならばファイルを閉じて終了する（ステップＳ３１０）。
【００３４】
また、本実施形態ではMPEG TS ストリームとSearch ストリームとの判別を行ったが、コマ送り、ポーズ、倍速再生などの特殊再生ストリームに対して判別してもよい。
また、本実施形態ではストリームのフォーマットに対しての判別を行ったが、ストリームに付加されている付属情報に対して判別を行ってもよい。
【００３５】
（本発明に係る他の実施の形態）
前述した本発明の実施の形態における画像記録装置を構成する各手段、並びに画像記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３６】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００３７】
なお、本発明は、前述した実施の形態の機能を実現するソフトウェアのプログラム（実施の形態では図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００３８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００３９】
その場合、プログラムの機能を有していれば、オブジェクトコード、インタプリタにより実行されるプログラム、ＯＳに供給するスクリプトデータ等の形態であってもよい。
【００４０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４１】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００４２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４４】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００４５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００４６】
【図１】本発明に係る画像記録装置のブロック構成図である。
【図２】本発明に係る画像記録装置において、外部機器から入力されるMPEGストリームを記録媒体へ記録する場合のイメージ図である。
【図３】本発明に係る画像記録装置において、外部機器から入力されるMPEGストリームを記録媒体へ記録する場合のフローチャートである。
【符号の説明】
【００４７】
１００  画像記録装置
１０１  MPEG Codec
１０２  Search Codec
１０３  画像メモリ
１０４  操作キー
１０５  DIF
１０６  ストリーム検知部
１０７  ＣＰＵ
１０８  表示部
１０９  データメモリ
１１０  Disc IF
１１１  記録媒体
２００  外部機器
【図１】
2007110245.tif 000003
【図２】
2007110245.tif 000004
【図３】
2007110245.tif 000005